(57)【要約】  【課題】直冷式冷蔵庫の蒸発器の解体性を向上させる冷蔵庫を提供するものである。  【解決手段】冷蔵室または冷凍室等の冷却室１０１の冷却用蒸発器１０２が庫内内箱裏面側の断熱材１０４と隣接する位置へ配設される直冷式冷蔵庫において、内箱１０３を庫内側へ凹凸１０５を設け冷却用蒸発器１０２の貼り付け位置を庫内から判別可能にしたことにより、庫内から蒸発器の配設位置が明確になるため、蒸発器を取り出すことが容易でかつ、取り出すための時間と労力とコストを抑制することが出来るものである。【選択図】図１
2008039239.tif 000002
【特許請求の範囲】
【請求項１】
冷蔵室または冷凍室等の冷却室の冷却用蒸発器が庫内内箱裏面側の断熱材と隣接する位置へ配設される直冷式冷蔵庫において、前記内箱を庫内側へ凹凸を設け前記冷却用蒸発器の貼り付け位置を庫内から判別可能にしたことを特徴とする冷蔵庫。
【請求項２】
前記内箱の前記冷却用蒸発器を貼り付ける面にリブを設け、前記凹凸は前記リブの外周へ設けることを特徴とする請求項１に記載の冷蔵庫。
【請求項３】
前記内箱の前記冷却用蒸発器を貼り付ける面に構成される前記リブより外側で、前記内箱の庫内側へリブを設け、前記凹凸はその外周へ設けることを特徴とする請求項２に記載の冷蔵庫。
【請求項４】
前記内箱の庫内側への前記リブに凹凸を設けることを特徴とする請求項３に記載の冷蔵庫。
【請求項５】
前記冷却用蒸発器の前記断熱材と接する面にフィルムを設けることを特徴とする請求項１から４のいずれか一項に記載の冷蔵庫。
【請求項６】
前記冷却用蒸発器の前記内箱側にフィルムを設けることを特徴とする請求項１から５のいずれか一項に記載の冷蔵庫。
【発明の詳細な説明】
【技術分野】
【０００１】
本発明は、直冷式の冷蔵庫に関するものである。
【背景技術】
【０００２】
従来、この種の冷蔵庫は、キャビネット本体の断熱材と内箱の間に庫内冷却用蒸発器が構成されている。
【０００３】
図７（ａ）（ｂ）は、特許文献１に記載された従来の直冷式冷蔵庫の断面図である。
【０００４】
図７において、キャビネット本体７０１の断熱材７０２と内箱７０３の間に庫内冷却用蒸発器７０４が構成されている。
【０００５】
以上のように構成された冷蔵庫について以下その動作を説明する。
【０００６】
蒸発器７０４は内箱７０３に接するように断熱材７０２内に埋め込まれている。冷蔵庫の運転が始まると、蒸発器７０４内で冷媒の蒸発が起り、気化熱により蒸発器の温度が下がる。その温度低下が内箱７０３を通して冷蔵庫庫内に伝えられ、冷蔵庫庫内の冷却が生じることになる。
【特許文献１】特開２００３−２８５６５号公報
【発明の開示】
【発明が解決しようとする課題】
【０００７】
しかしながら、上記従来の構成では、庫内冷却用蒸発器７０４が断熱材７０２と内箱７０３の間に構成されているため、蒸発器の位置はメーカーのみの知るところであり、第三の解体業者にとっては蒸発器を有価材として取り出すことは非常に困難でかつ、取り出すためには非常に多くの時間と労力とコストを有するという課題を有していた。
【０００８】
本発明は、上記従来の課題を解決するもので、直冷式冷蔵庫の内箱内へ内蔵した蒸発器を有した冷蔵庫の解体性を向上させるため、冷蔵庫の内箱へ蒸発器の位置を明確にし、蒸発器を有価材として取り出すことを容易でかつ、取り出すための時間と労力とコストを最小限にする冷蔵庫を提供することを目的とする。
【課題を解決するための手段】
【０００９】
上記従来の課題を解決するために、本発明の冷蔵庫は、冷蔵室または冷凍室等の冷却室の冷却用蒸発器が庫内内箱裏面側の断熱材と隣接する位置へ配設される直冷式冷蔵庫において、前記内箱を庫内側へ凹凸を設け前記冷却用蒸発器の貼り付け位置を庫内から判別可能にしたものである。
【００１０】
これによって、庫内から蒸発器の配設位置が明確になるため、解体時に蒸発器を取り出すことが容易となる。
【発明の効果】
【００１１】
本発明の冷蔵庫は、冷蔵室または冷凍室等の冷却室の冷却用蒸発器が庫内内箱裏面側の断熱材と隣接する位置へ配設される直冷式冷蔵庫において、前記内箱を庫内側へ凹凸を設け前記冷却用蒸発器の貼り付け位置を庫内から判別可能にしたことにより、解体時、冷蔵庫の蒸発器の位置が明確になり、蒸発器を有価材として取り出すことを容易でかつ、取り出すための時間と労力とコストを最小限にすることが出来る。
【発明を実施するための最良の形態】
【００１２】
請求項１に記載の発明は、冷蔵室または冷凍室等の冷却室の冷却用蒸発器が庫内内箱裏面側の断熱材と隣接する位置へ配設される直冷式冷蔵庫において、前記内箱を庫内側へ凹凸を設け前記冷却用蒸発器の貼り付け位置を庫内から判別可能にしたものであり、庫内から蒸発器の配設位置が明確になるため、蒸発器を取り出すことが容易でかつ、取り出すための時間と労力とコストを抑制することが出来る。
【００１３】
請求項２に記載の発明は、請求項１に記載の発明において、前記内箱の前記冷却用蒸発器を貼り付ける面にリブを設け、前記凹凸は前記リブの外周へ設けることにより、製造時の作業バラツキにより蒸発器の配設位置が一定位置となるため、蒸発器を取り出すことがさらに容易でかつ、取り出すための時間と労力とコストをさらに抑制することが出来る。
【００１４】
請求項３に記載の発明は、請求項２に記載の発明において、前記内箱の前記冷却用蒸発器を貼り付ける面に構成される前記リブより外側で、前記内箱の庫内側へリブを設け、前記凹凸はその外周へ設けることにより、解体作業時蒸発器を取り出す際、庫内側の内箱をリブに沿ってカットすることが出来るため、蒸発器を取り出すことがさらに容易でかつ、取り出すための時間と労力とコストをさらに抑制することが出来る。
【００１５】
請求項４に記載の発明は、請求項３に記載の発明において、前記内箱の庫内側への前記リブに凹凸を設けることにより、解体作業時蒸発器を取り出す際、庫内側の内箱リブの凹凸に沿ってカットすることが出来るため、蒸発器を取り出すことがさらに容易でかつ、取り出すための時間と労力とコストをさらに抑制することが出来る。
【００１６】
請求項５に記載の発明は、請求項１から４のいずれか一項に記載の発明において、前記冷却用蒸発器の前記断熱材と接する面にフィルムを設けることにより、解体作業時蒸発器を取り出す際、断熱材と蒸発器の接合面を容易に取り外すことが出来るため、蒸発器を取り出すことがさらに容易でかつ、取り出すための時間と労力とコストをさらに抑制することが出来る。
【００１７】
請求項６に記載の発明は、請求項１から５のいずれか一項に記載の発明において、前記冷却用蒸発器の前記内箱側にフィルムを設けることにより、解体作業時蒸発器を取り出す際、内箱と蒸発器の接合面を容易に取り外すことが出来るため、蒸発器を取り出すことがさらに容易でかつ、取り出すための時間と労力とコストをさらに抑制することが出来る。
【００１８】
以下、本発明の実施の形態について、図面を参照しながら説明する。なお、この実施の形態によって、この発明が限定されるものではない。
【００１９】
（実施の形態１）
図１は、本発明の実施の形態１における冷蔵庫の要部断面図である。
【００２０】
図１において、冷蔵室または冷凍室等の冷却室１０１の冷却用蒸発器１０２が庫内内箱１０３裏面側の断熱材１０４と隣接位置へ配設され、内箱１０３を庫内側へ凹凸１０５を付け冷却用蒸発器１０２を凹凸１０５へ貼り付けるように構成している。
【００２１】
上記構成により、冷却用蒸発器の貼り付け位置を庫内から判別可能にすることにより、冷蔵庫使用後の解体時、庫内から蒸発器の配設位置が明確になる。また、個々製品においては庫内又はキャビネット又は取扱説明書等へ冷却用蒸発器１０２の埋設位置を啓蒙する。このことにより、外観から蒸発器の配設位置が明確になるため、蒸発器を取り出すことが容易でかつ、取り出すための時間と労力とコストを抑制することが出来る。
【００２２】
（実施の形態２）
図２は、本発明の実施の形態２における冷蔵庫の要部断面図である。
【００２３】
実施の形態１と異なる点は、内箱２０２の冷却用蒸発器２０１を貼り付ける面にリブ２０３を設け、凹凸２０４はリブ２０３の外周へ設けることにより、製造時の作業バラツキが吸収され、蒸発器の配設位置が一定位置となるため、蒸発器を取り出すことがさらに容易でかつ、取り出すための時間と労力とコストをさらに抑制することが出来る。
【００２４】
（実施の形態３）
図３は、本発明の実施の形態３における冷蔵庫の要部断面図である。
【００２５】
実施の形態２と異なる点は、内箱３０２の冷却用蒸発器３０１を貼り付ける面に構成されるリブ３０３より外側で、内箱３０２の庫内側へリブ３０４を設け、凹凸３０５はその外周へ設けることにより、解体作業時蒸発器を取り出す際、庫内側の内箱をリブに沿ってカットすることが出来るため、蒸発器を取り出すことがさらに容易でかつ、取り出すための時間と労力とコストをさらに抑制することが出来る。
【００２６】
（実施の形態４）
図４は、本発明の実施の形態４における冷蔵庫の要部断面図である。
【００２７】
実施の形態３と異なる点は、内箱４０１の庫内側へのリブ４０２に凹凸を設けることにより、解体作業時蒸発器を取り出す際、庫内側の内箱リブの凹凸に沿ってカットすることが出来るため、蒸発器を取り出すことがさらに容易でかつ、取り出すための時間と労力とコストをさらに抑制することが出来る。
【００２８】
（実施の形態５）
図５は、本発明の実施の形態５における冷蔵庫の要部断面図である。
【００２９】
実施の形態１から４と異なる点は、冷却用蒸発器５０１の断熱材５０２と接する面にフィルム５０３を設ける。フィルム５０３と冷却用蒸発器５０１は容易に取り外すことが出来る接着仕様とする。このことにより、解体作業時蒸発器を取り出す際、断熱材と蒸発器の接合面を容易に取り外すことが出来るため、蒸発器を取り出すことがさらに容易でかつ、取り出すための時間と労力とコストをさらに抑制することが出来る。
【００３０】
（実施の形態６）
図６は、本発明の実施の形態６における冷蔵庫の要部断面図である。
【００３１】
実施の形態１から５と異なる点は、冷却用蒸発器６０１の内箱６０２側にフィルム６０３を設ける。フィルム６０３は、冷却用蒸発器６０１と内箱６０２と接着する接着剤６０４の内側へ配設する。フィルム６０３と冷却用蒸発器６０１は容易に取り外すことが出来る接着仕様とする。このことにより、解体作業時蒸発器を取り出す際、内箱と蒸発器の接合面を容易に取り外すことが出来るため、蒸発器を取り出すことがさらに容易でかつ、取り出すための時間と労力とコストをさらに抑制することが出来る。
【産業上の利用可能性】
【００３２】
以上のように、本発明にかかる直冷式冷蔵庫は、キャビネット内へ内蔵した蒸発器を有した冷蔵庫の解体性を向上させるため、家庭用の直冷式冷蔵庫だけではなく多種に渡る冷凍装置において断熱材へ内蔵された有価材の解体についても適用もできる。
【図面の簡単な説明】
【００３３】
【図１】本発明の実施の形態１における冷蔵庫の要部断面図
【図２】本発明の実施の形態２における冷蔵庫の要部断面図
【図３】本発明の実施の形態３における冷蔵庫の要部断面図
【図４】本発明の実施の形態４における冷蔵庫の要部断面図
【図５】本発明の実施の形態５における冷蔵庫の要部断面図
【図６】本発明の実施の形態６における冷蔵庫の要部断面図
【図７】（ａ）従来の冷蔵庫の側断面図（ｂ）従来の冷蔵庫の要部断面図
【符号の説明】
【００３４】
１０１  冷却室
１０２，２０１，３０１  冷却用蒸発器
１０３，２０２，３０２，４０１，６０２  内箱
１０４，５０２  断熱材
１０５，２０４，３０５  凹凸
２０３，３０３，３０４，４０２  リブ
５０３，６０３  フィルム
【図１】
2008039239.tif 000003
【図２】
2008039239.tif 000004
【図３】
2008039239.tif 000005
【図４】
2008039239.tif 000006
【図５】
2008039239.tif 000007
【図６】
2008039239.tif 000008
【図７】
2008039239.tif 000009